(57)【要約】  スクロール圧縮機は、第１外側壁部及び第２外側壁部のうちの少なくとも一方には、圧縮室と吸入室とを連通させ、圧縮室内の冷媒の一部を吸入室へ戻すバイパス通路が形成されている。
2019026244.tif 000002
【特許請求の範囲】
【請求項１】
板状の第１台板と前記第１台板に設けられ、第１外側端から第１内側端へかけて渦巻状に延びる第１渦巻体とを含む固定スクロールと、
前記第１台板に間隔をあけて設けられている板状の第２台板と、前記第２台板に設けられ、第２外側端から第２内側端へかけて渦巻状に延び、前記第１渦巻体に組み合わせられている第２渦巻体とを含む揺動スクロールと、
を備え、
前記第１台板と前記第２台板との間には、冷媒が圧縮される圧縮室と、前記圧縮室よりも冷媒の流れ方向の上流側に設けられている吸入室と、が設けられ、
前記圧縮室は、前記第１渦巻体と前記第２渦巻体との間に設けられ、
前記第１渦巻体は、前記第１内側端側に設けられている第１内側壁部と、前記第１外側端側に設けられ、前記圧縮室と前記吸入室とを区画している第１外側壁部とを含み、
前記第２渦巻体は、前記第２内側端側に設けられている第２内側壁部と、前記第２外側端側に設けられ、前記圧縮室と前記吸入室とを区画している第２外側壁部とを含み、
前記第１外側壁部及び前記第２外側壁部のうちの少なくとも一方には、前記圧縮室と前記吸入室とを連通させ、前記圧縮室内の冷媒の一部を前記吸入室へ戻すバイパス通路が形成されている
スクロール圧縮機。
【請求項２】
前記バイパス通路は、前記第１外側壁部に形成されている第１バイパス通路と、前記第２外側壁部に形成されている第２バイパス通路とを含み、
前記第１外側壁部は、前記第２台板との間に前記第１バイパス通路を形成している第１切欠部と、前記第１外側端に設けられている第１先端部とを含み、
前記第１先端部は、前記第２台板に接触している第１接触面を含み、
前記第２外側壁部は、前記第１台板との間に前記第２バイパス通路を形成している第２切欠部と、前記第２外側端に設けられている第２先端部とを含み、
前記第２先端部は、前記第１台板に接触している第２接触面を含む
請求項１に記載のスクロール圧縮機。
【請求項３】
前記バイパス通路は、前記第２外側壁部に形成されている第２バイパス通路を含み、
前記第２外側壁部は、前記第１台板との間に前記第２バイパス通路を形成している第２切欠部と、前記第２外側端に設けられている第２先端部とを含み、
前記第２先端部は、前記第１台板に接触している第２接触面を含む
請求項１に記載のスクロール圧縮機。
【請求項４】
前記バイパス通路は、前記第１外側壁部に形成されている第１バイパス通路と、前記第２外側壁部に形成されている第２バイパス通路とを含み、
前記第１外側壁部には、前記第１バイパス通路である第１貫通孔と、前記第２台板に接触している第１接触面を含む第１先端部とを含み、
前記第２外側壁部には、前記第２バイパス通路である第２貫通孔と、前記第１台板に接触している第２接触面を含む第２先端部とを含む
請求項１に記載のスクロール圧縮機。
【請求項５】
前記バイパス通路は、前記第２外側壁部に形成されている第２バイパス通路を含み、
前記第２外側壁部には、前記第２バイパス通路である第２貫通孔と、前記第１台板に接触している第２接触面を含む第２先端部とを含む
請求項１に記載のスクロール圧縮機。
【請求項６】
前記バイパス通路は、前記第１外側壁部に形成されている第１バイパス通路と、前記第２外側壁部に形成されている第２バイパス通路とを含み、
前記第１渦巻体は、前記第１外側端側から前記第１内側端側へ延び、第１シール材が挿入されている渦巻状の第１溝部を含み、
前記第１外側壁部は、前記第２台板との間に前記第１バイパス通路を形成し、前記第１溝部の前記第１外側端側の端部から前記第１外側端まで延びている第１段部を含み、
前記第１段部は、前記第２台板から離間している第１離間面と、前記第２台板に接触しており、前記揺動スクロールの回転軸までの距離が前記揺動スクロールの前記回転軸から前記第１離間面までの距離よりも長い第１接触面とを含み、
前記第２渦巻体は、前記第２外側端側から前記第２内側端側へ延び、第２シール材が挿入されている渦巻状の第２溝部を含み、
前記第２外側壁部は、前記第１台板との間に前記第２バイパス通路を形成し、前記第２溝部の前記第２外側端側の端部から前記第２外側端まで延びている第２段部を含み、
前記第２段部は、前記第１台板から離間している第２離間面と、前記第１台板に接触しており、前記揺動スクロールの前記回転軸までの距離が前記揺動スクロールの前記回転軸から前記第２離間面までの距離よりも長い第２接触面とを含む
請求項１に記載のスクロール圧縮機。
【請求項７】
前記バイパス通路は、前記第２外側壁部に形成されている第２バイパス通路を含み、
前記第２渦巻体は、前記第２外側端側から前記第２内側端側へ延び、第２シール材が挿入されている渦巻状の第２溝部を含み、
前記第２外側壁部は、前記第１台板との間に前記第２バイパス通路を形成し、前記第２溝部の前記第２外側端側の端部から前記第２外側端まで延びている第２段部を含み、
前記第２段部は、前記第１台板から離間している第２離間面と、前記第１台板に接触しており、前記揺動スクロールの回転軸までの距離が前記揺動スクロールの前記回転軸から前記第２離間面までの距離よりも長い第２接触面とを含む
請求項１に記載のスクロール圧縮機。
【請求項８】
前記バイパス通路は、前記第１外側壁部に形成され、
前記第１渦巻体は、前記第１外側端側から前記第１内側端側へ延び、第１シール材が挿入されている渦巻状の第１溝部を含み、
前記第１外側壁部は、前記第２台板との間に前記バイパス通路を形成し、前記第１溝部の前記第１外側端側の端部から前記第１外側端まで延びている第１階段状部を含み、
前記第１階段状部は、前記第２台板から第１距離をあけて離間している第１離間面と、前記第２台板から前記第１距離よりも大きい第２距離をあけて離間しており、前記第１離間面よりも前記第１外側端側に設けられている第２離間面とを含む
請求項１に記載のスクロール圧縮機。
【発明の詳細な説明】
【技術分野】
【０００１】
本発明は、スクロール圧縮機に関し、特に、スクロール圧縮機が備える圧縮機構部に関する。
【背景技術】
【０００２】
従来のスクロール圧縮機には、固定スクロールの渦巻体及び揺動スクロールの渦巻体に形成されている圧縮室と、圧縮室に連通するバイパス通路と、バイパス通路に設けられているピストンとを備えたものが提案されている（例えば、特許文献１）。特許文献１の技術において、ピストンは圧縮室とバイパス通路との連通部分であるバイパス孔を開閉する。そして、ピストンがバイパス孔を開とすることで圧縮室の冷媒は圧縮室から逃げる。このように、特許文献１のスクロール圧縮機は、ピストンを動かすことで、運転容量を可変とする容量制御を実現している。【０００３】
一般的に、スクロール圧縮機が低速で運転している場合において、スクロール圧縮機のシェル内に設けられている油ポンプが、シェル内の底部の油溜まりからシャフトへ引き上げる油の量は低減する。このため、スクロール圧縮機が低速で運転している場合においては、シャフトの軸受といった摺動部材の摩耗が進行しやすい。ここで、冷凍サイクル装置の負荷が小さくてスクロール圧縮機の回転数が低くなりやすい状況においても、特許文献１のスクロール圧縮機のピストンがバイパス孔を開けば、スクロール圧縮機の運転容量が小さくなる。このため、冷凍サイクル装置の制御装置は負荷に応じるためにスクロール圧縮機の回転数を上昇させる。したがって、冷凍サイクル装置の負荷が小さくてスクロール圧縮機の回転数が低くなりやすい状況においてもスクロール圧縮機の回転数が上昇し、その結果、油溜まりからシャフトへ引き上げる油の量が増加し、摺動部材の摩耗の進行は抑制される。
【先行技術文献】
【特許文献】
【０００４】
【特許文献１】特開平１−３１８７７９号公報
【発明の概要】
【発明が解決しようとする課題】
【０００５】
特許文献１のスクロール圧縮機のバイパス通路にはピストンを付勢するスプリングが設けられている。このように、特許文献１のスクロール圧縮機はピストン及びスプリングが設けられており、特許文献１のスクロール圧縮機の容量制御を実現する機構は複雑化している。【０００６】
本発明は、上記のような課題を解決するためになされたもので、摺動部材の摩耗の進行を抑制するにあたり、構成が複雑化することを抑制することができるスクロール圧縮機を提供することを目的としている。
【課題を解決するための手段】
【０００７】
本発明に係るスクロール圧縮機は、板状の第１台板と第１台板に設けられ、第１外側端から第１内側端へかけて渦巻状に延びる第１渦巻体とを含む固定スクロールと、第１台板に間隔をあけて設けられている板状の第２台板と、第２台板に設けられ、第２外側端から第２内側端へかけて渦巻状に延び、第１渦巻体に組み合わせられている第２渦巻体とを含む揺動スクロールと、を備え、第１台板と第２台板との間には、冷媒が圧縮される圧縮室と、圧縮室よりも冷媒の流れ方向の上流側に設けられている吸入室と、が設けられ、圧縮室は、第１渦巻体と第２渦巻体との間に設けられ、第１渦巻体は、第１内側端側に設けられている第１内側壁部と、第１外側端側に設けられ、圧縮室と吸入室とを区画している第１外側壁部とを含み、第２渦巻体は、第２内側端側に設けられている第２内側壁部と、第２外側端側に設けられ、圧縮室と吸入室とを区画している第２外側壁部とを含み、第１外側壁部及び第２外側壁部のうちの少なくとも一方には、圧縮室と吸入室とを連通させ、圧縮室内の冷媒の一部を吸入室へ戻すバイパス通路が形成されている。
【発明の効果】
【０００８】
本発明によれば、第１外側壁部及び第２外側壁部のうちの少なくとも一方には、圧縮室と吸入室とを連通させ、圧縮室内の冷媒の一部を吸入室へ戻すバイパス通路が形成されている。このため、本発明によれば、摺動部材の摩耗の進行を抑制するにあたり、構成が複雑化することを抑制することができる。
【図面の簡単な説明】
【０００９】
【図１】実施の形態１に係るスクロール圧縮機１００を備えている冷凍サイクル装置２００の説明図である。
【図２】実施の形態１に係るスクロール圧縮機１００の断面模式図である。
【図３】図２に示す圧縮機構部３１の説明図である。
【図４】図２に示す圧縮機構部３１の固定スクロール１の説明図である。
【図５】図２に示す圧縮機構部３１の揺動スクロール２の説明図である。
【図６】固定スクロール１の斜視図である。
【図７】揺動スクロール２の斜視図である。
【図８】第１渦巻体１ｂの斜視図である。
【図９】第２渦巻体２ｂの斜視図である。
【図１０】実施の形態１に係るスクロール圧縮機１００の圧縮室９の説明図である。
【図１１】固定スクロール１及び揺動スクロール２の、図１０に示すＡ−Ａ端面図である。
【図１２】圧縮室９で冷媒が圧縮されているときにおいて、最外室９ｃ１の冷媒及び最外室９ｃ２の冷媒が吸入室９ｄへ流れる様子を示している。
【図１３】図１２に示す状態から第２渦巻体２ｂが更に動いた様子を示している。
【図１４】図１３に示す状態から第２渦巻体２ｂが更に動き、最外室９ｃ１の冷媒及び最外室９ｃ２の冷媒が第１バイパス通路ｂｙ１及び第２バイパス通路ｂｙ２から吸入室９ｄへ流れる様子を示している。
【図１５】図１４に示す状態から第２渦巻体２ｂが更に動き、第１バイパス通路ｂｙ１が第２渦巻体２ｂによって塞がれ且つ第２バイパス通路ｂｙ２が第１渦巻体１ｂによって塞がれた様子を示している。
【図１６】図１５に示す状態から第２渦巻体２ｂが更に動いた様子を示している。
【図１７】スクロール圧縮機１００の低速運転時における回転数が上昇することの説明図である。
【図１８】軸受３ａ等の油膜厚さが増大することの説明図である。
【図１９】揺動スクロール２がフレーム３に対して傾いたときの様子を模式的に示す図である。
【図２０】実施の形態２に係るスクロール圧縮機の固定スクロールの第１渦巻体１ｂの説明図である。
【図２１】実施の形態２に係るスクロール圧縮機の揺動スクロールの第２渦巻体２ｂの説明図である。
【図２２】揺動スクロール２の回転軸Ｒと第１接触面２１ｂ５との間の距離ｄｓｔ２等の説明図である。
【図２３】実施の形態３に係るスクロール圧縮機の固定スクロールの第１渦巻体１ｂの説明図である。
【図２４】実施の形態３に係るスクロール圧縮機の揺動スクロールの第２渦巻体２ｂの説明図である。
【図２５】実施の形態３に係るスクロール圧縮機の第１渦巻体１ｂ及び第２渦巻体２ｂの断面図である。
【図２６】実施の形態４に係るスクロール圧縮機の固定スクロールの第１渦巻体１ｂの説明図である。
【発明を実施するための形態】
【００１０】
実施の形態１．
以下、図面を適宜参照しながら実施の形態について説明する。なお、図１を含め、以下の図面では各構成部材の大きさの関係が実際のものとは異なる場合がある。
【００１１】
＜実施の形態１の構成＞
図１は、実施の形態１に係るスクロール圧縮機１００を備えている冷凍サイクル装置２００の説明図である。図２は、実施の形態１に係るスクロール圧縮機１００の断面模式図である。冷凍サイクル装置２００は、冷媒を圧縮するスクロール圧縮機１００と冷媒を液化する凝縮器５１と冷媒を減圧させる膨張弁５２と冷媒を気化する蒸発器５３とを備えている。また、冷凍サイクル装置２００はスクロール圧縮機１００の回転数及び膨張弁５２の開度を制御する制御装置Ｃｎｔを備えている。
【００１２】
スクロール圧縮機１００は、冷媒を圧縮して冷媒を高温且つ高圧にする。スクロール圧縮機１００は、スクロール圧縮機１００の外郭を構成し、下部に油溜まり１２が形成されているシェル８と、シェル８に収容され、油溜まり１２から油を吸い上げるオイルポンプ１８とを備えている。スクロール圧縮機１００は、回転自在に設けられているロータ６及びシェル８に固定されているステータ７を含む駆動機構部３２と、固定スクロール１及び揺動スクロール２を含む圧縮機構部３１とを備えている。スクロール圧縮機１００は、揺動スクロール２を収容しているフレーム３と、ロータ６に固定されているシャフト４とを備えている。また、スクロール圧縮機１００は、シェル８内に冷媒を導く吸入管５と、圧縮機構部３１で圧縮した冷媒をシェル８内からシェル８外へ導く吐出管１３とを備えている。
【００１３】
スクロール圧縮機１００は、固定スクロール１上に設けられているチャンバ１９と、固定スクロール１上に設けられている弁１１と、チャンバ１９に収容され、弁１１上に設けられている弁押さえ１０とを備えている。また、スクロール圧縮機１００は、揺動スクロール２が自転運転することを規制するオルダムリング１７と、フレーム３に設けられている軸受３ａとを備えている。更に、スクロール圧縮機１００は、シェル８の下部に固定されているサブフレーム１６と、サブフレーム１６に設けられている軸受１６ａとを備えている。
【００１４】
シェル８は、圧縮機構部３１、駆動機構部３２、シャフト４及びサブフレーム１６等を収容している。オイルポンプ１８は油溜まり１２から吸い上げた油をシャフト４内に形成されている油通路４ｂに供給する。駆動機構部３２はシャフト４を回転させる。駆動機構部３２は圧縮機構部３１よりも下側であってサブフレーム１６よりも上側に設けられている。駆動機構部３２のステータ７には図示省略のインバータから電力が供給される。ステータ７に電力が供給されることでロータ６は回転する。圧縮機構部３１は冷媒を圧縮する。固定スクロール１はシェル８の内周面に固定されている。固定スクロール１上にはチャンバ１９が設けられている。揺動スクロール２はシャフト４の上端部が挿入されている中空円筒状のボス部２ｄを備えている。ボス部２ｄの内周部には、シャフト４の上端部に設けられている偏心ピン部４ａが設けられている。揺動スクロール２はシャフト４が回転することで揺動運転をする。固定スクロール１と揺動スクロール２との間には、冷媒が圧縮される圧縮室９が形成されている。固定スクロール１には圧縮室９で圧縮された冷媒が通過する吐出ポート１ａが形成されている。
【００１５】
フレーム３はシェル８の内周面に固定されている。フレーム３は軸受３ａを介してシャフト４を支持している。また、フレーム３は揺動スクロール２を支持している。フレーム３にはオルダムリング１７が設けられている。シャフト４はロータ６の回転力を揺動スクロール２に伝達する。シャフト４は軸受３ａ及び軸受１６ａによって回転自在に支持されている。吸入管５及び吐出管１３はシェル８内に連通している。吐出管１３は吸入管５よりも上側に設けられている。チャンバ１９には、固定スクロール１の吐出ポート１ａを通過した冷媒が流れ込む空間１４が形成されている。空間１４には弁１１及び弁押さえ１０が設けられている。サブフレーム１６はシェル８の内周面に固定されている。サブフレーム１６は軸受１６ａを介してシャフト４を支持する。弁１１は冷媒がチャンバ１９側から圧縮室９側へ逆流することを防止する板バネである。弁押さえ１０は弁１１のリフト量を制限している。
【００１６】
図３は、図２に示す圧縮機構部３１の説明図である。図４は、図２に示す圧縮機構部３１の固定スクロール１の説明図である。図５は、図２に示す圧縮機構部３１の揺動スクロール２の説明図である。固定スクロール１は板状の第１台板１ｃと、第１台板１ｃに設けられている第１渦巻体１ｂと、を備えている。また、固定スクロール１には第１渦巻体１ｂの周囲に設けられている筒状部１Ｂを備えている。第１台板１ｃは円板状部材であり、第１台板１ｃの中央部には圧縮室９で圧縮された冷媒が通過する吐出ポート１ａが形成されている。吐出ポート１ａは第１台板１ｃを貫通する孔である。第１渦巻体１ｂは第１台板１ｃの面１ｃ１に繋がっており、第１渦巻体１ｂは第１台板１ｃから第２台板２ｃへ向かって突出している。筒状部１Ｂは第１台板１ｃの縁部に設けられている。筒状部１Ｂには図２で説明したフレーム３上に載置される端面１Ｂ１が形成されている。また、図３に示すように、筒状部１Ｂと第１渦巻体１ｂとの間には、冷媒が圧縮される空間である圧縮室９よりも、冷媒の流れ方向の上流側に設けられている吸入室９ｄが形成されている。
【００１７】
揺動スクロール２は、第１台板１ｃに間隔をあけて設けられている板状の第２台板２ｃと、第２台板２ｃに設けられ、第１渦巻体１ｂと組み合わせられている第２渦巻体２ｂと、を備えている。第２渦巻体２ｂは第１渦巻体１ｂと摺動する。また、揺動スクロール２にはシャフト４が挿入される凹状のボス部２ｄを備えている。第２台板２ｃは第１台板１ｃに向かい合う円板状部材である。第２渦巻体２ｂは第２台板２ｃの面２ｃ１に繋がっており、第２渦巻体２ｂは第２台板２ｃから第１台板１ｃへ向かって突出している。第２台板２ｃの面２ｃ２は図２で説明したフレーム３に支持される。
【００１８】
第１渦巻体１ｂのうち第２台板２ｃの面２ｃ１に設けられている端部には、第１シール材１５ａが設けられている。第２渦巻体２ｂのうち第１台板１ｃの面１ｃ１に設けられている端部には、第２シール材１５ｂが設けられている。
【００１９】
図６は、固定スクロール１の斜視図である。図７は、揺動スクロール２の斜視図である。図８は、第１渦巻体１ｂの斜視図である。図９は、第２渦巻体２ｂの斜視図である。なお、図６に示す固定スクロール１は図２〜図４に示す固定スクロール１の上下をひっくり返した状態の斜視図である。第１渦巻体１ｂは第１外側端Ｐ１から第１内側端Ｐ２へかけて渦巻状に延びている。第１渦巻体１ｂは、第１台板１ｃの中央部に設けられている第１内側壁部１ｂ１と、圧縮室９と吸入室９ｄとを区画している第１外側壁部１ｂ２と、を備えている。また、図６及び図８に示すように、第１渦巻体１ｂは、第１外側端Ｐ１側から第１内側端Ｐ２側へ延び、図示省略の第１シール材１５ａが挿入されている渦巻状の第１溝部ｇｒ１を備えている。更に、図８に示すように、第１外側壁部１ｂ２は、圧縮室９内の冷媒を吸入室９ｄへ逃がす第１切欠部１ｂ３と、第１外側端Ｐ１に設けられている第１先端部１ｂ４を備えている。第１先端部１ｂ４は揺動スクロール２の第２台板２ｃの面２ｃ１に接触している第１接触面１ｂ５を備えている。第１外側壁部１ｂ２には圧縮室９内の冷媒を吸入室９ｄへ逃がす第１バイパス通路ｂｙ１が設けられている。第１バイパス通路ｂｙ１は第１切欠部１ｂ３と第２台板２ｃの面２ｃ１とによって形成された通路である。
【００２０】
第２渦巻体２ｂは第２外側端Ｔ１から第２内側端Ｔ２へかけて渦巻状に延びている。第２渦巻体２ｂは、第２台板２ｃの中央部に設けられている第２内側壁部２ｂ１と、圧縮室９と吸入室９ｄとを区画している第２外側壁部２ｂ２と、を備えている。また、図７及び図９に示すように、第２渦巻体２ｂは、第２外側端Ｔ１側から第２内側端Ｔ２側へ延び、図示省略の第２シール材１５ｂが挿入されている渦巻状の第２溝部ｇｒ２を備えている。更に、図９に示すように、第２外側壁部２ｂ２は、圧縮室９内の冷媒を吸入室９ｄへ逃がす第２切欠部２ｂ３と、第２外側端Ｔ１に設けられている第２先端部２ｂ４を備えている。第２先端部２ｂ４は固定スクロール１の第１台板１ｃの面１ｃ１に接触している第２接触面２ｂ５を備えている。第２外側壁部２ｂ２には圧縮室９内の冷媒を吸入室９ｄへ逃がす第２バイパス通路ｂｙ２が設けられている。第２バイパス通路ｂｙ２は第２切欠部２ｂ３と第１台板１ｃの面１ｃ１とによって形成された通路である。
【００２１】
図１０は、実施の形態１に係るスクロール圧縮機１００の圧縮室９の説明図である。図１１は、固定スクロール１及び揺動スクロール２の、図１０に示すＡ−Ａ端面図である。なお、図１０は、図１１に示すＢ−Ｂ端面図である。圧縮室９は、第１台板１ｃと第２台板２ｃとの間に形成されている。より具体的には、圧縮室９は、第１台板１ｃと第２台板２ｃとの間であり、且つ、第１渦巻体１ｂと第２渦巻体２ｂとの間に、形成されている。圧縮室９は、圧縮室９の中心部に設けられ、圧縮室９の冷媒流れ方向の最下流側に位置する最内室９ａと、最内室９ａよりも冷媒流れ方向の上流側に位置する中間室９ｂ１と、中間室９ｂ１よりも冷媒流れ方向の上流側に位置する最外室９ｃ１とを備えている。また、圧縮室９は、最内室９ａよりも冷媒流れ方向の上流側に位置し、中間室９ｂ１と同等の圧力になっている中間室９ｂ２と、中間室９ｂ１よりも冷媒流れ方向の上流側に位置し、最外室９ｃ１と同等の圧力になっている最外室９ｃ２とを備えている。冷媒の圧力が一番高い室は最内室９ａであり、２番目に冷媒の圧力が高い室は中間室９ｂ１及び中間室９ｂ２であり、冷媒の圧力が一番低い室は最外室９ｃ１及び最外室９ｃ２である。
【００２２】
吸入室９ｄは第１台板１ｃと第２台板２ｃとの間に形成されている。より具体的には、吸入室９ｄは、図２〜図４で説明した筒状部１Ｂの内周面と図１０に示す第１渦巻体１ｂの最外壁面１ｂｂとの間であり、且つ、第１渦巻体１ｂと第２渦巻体２ｂとの間に、形成されている。更に、吸入室９ｄは、筒状部１Ｂの内周面と図１０に示す第２渦巻体２ｂの最外壁面２ｂｂとの間であり、且つ、第１渦巻体１ｂと第２渦巻体２ｂとの間にも、形成されている。
【００２３】
＜実施の形態１の動作＞
揺動スクロール２が動くことで、最外室９ｃ１の冷媒は、中間室９ｂ１の冷媒となり、その後最内室９ａの冷媒となる。冷媒は、最外室９ｃ１から最内室９ａへ移動する過程で圧力が上昇していく。同様に、最外室９ｃ２の冷媒は、中間室９ｂ２の冷媒となり、その後最内室９ａの冷媒となる。冷媒は、最外室９ｃ２から最内室９ａへ移動する過程で圧力が上昇していく。次に説明する図１３〜図１８では、最外室９ｃ１の動作及び最外室９ｃ２の動作を中心に説明する。
【００２４】
図１２は、圧縮室９で冷媒が圧縮されているときにおいて、最外室９ｃ１の冷媒及び最外室９ｃ２の冷媒が吸入室９ｄへ流れる様子を示している。図１２に示す状態において、最外室９ｃ１の冷媒は、第１外側壁部１ｂ２と第２渦巻体２ｂとの間の隙間Ｓｒ１から吸入室９ｄへ流出し、且つ、第１バイパス通路ｂｙ１から吸入室９ｄへ流出する。図１２に示す状態において、最外室９ｃ１から流出する冷媒量は、第１バイパス通路ｂｙ１が形成されている分、増大する。また、図１２に示す状態において、最外室９ｃ２の冷媒は、第２外側壁部２ｂ２と第２渦巻体２ｂとの間の隙間Ｓｒ２から吸入室９ｄへ流出し、且つ、第２バイパス通路ｂｙ２から吸入室９ｄへ流出する。図１２に示す状態において、最外室９ｃ２から流出する冷媒量は、第２バイパス通路ｂｙ２が形成されている分、増大する。
【００２５】
図１３は、図１２に示す状態から第２渦巻体２ｂが更に動いた様子を示している。図１３に示す状態における隙間Ｓｒ１は図１２に示す状態における隙間Ｓｒ１よりも狭くなっている。また、第１バイパス通路ｂｙ１は第２渦巻体２ｂによって塞がれ始めている。このため、図１３に示す状態における最外室９ｃ１の冷媒は、図１２に示す状態における最外室９ｃ１の冷媒よりも、吸入室９ｄへ流出しにくくなっている。同様に、図１３に示す状態における隙間Ｓｒ２は図１２に示す状態における隙間Ｓｒ２よりも狭くなっている。また、第２バイパス通路ｂｙ２は第１渦巻体１ｂによって塞がれ始めている。このため、図１３に示す状態における最外室９ｃ２の冷媒は、図１２に示す状態における最外室９ｃ２の冷媒よりも、吸入室９ｄへ流出しにくくなっている。
【００２６】
図１４は、図１３に示す状態から第２渦巻体２ｂが更に動き、最外室９ｃ１の冷媒及び最外室９ｃ２の冷媒が第１バイパス通路ｂｙ１及び第２バイパス通路ｂｙ２から吸入室９ｄへ流れる様子を示している。図１４に示す状態における隙間Ｓｒ１は塞がれている。また、図１４に示す状態において図１３に示す状態のときよりも通路ｐｔ１が狭くなっている。通路ｐｔ１は、最外室９ｃ１に含まれ、第１バイパス通路ｂｙ１に通じている通路である。このように、図１４に示す状態において最外室９ｃ１の冷媒は第１バイパス通路ｂｙ１から流出するが、最外室９ｃ１の冷媒の流出量は図１３に示す状態よりも少なくなっている。同様に、図１４に示す状態における隙間Ｓｒ２は塞がれている。また、図１４に示す状態において図１３に示す状態のときよりも通路ｐｔ２が狭くなっている。通路ｐｔ２は、最外室９ｃ２に含まれ、第２バイパス通路ｂｙ２に通じている通路である。このように、図１４に示す状態において最外室９ｃ２の冷媒は第２バイパス通路ｂｙ２から流出するが、最外室９ｃ２の冷媒の流出量は図１３に示す状態よりも少なくなっている。
【００２７】
図１５は、図１４に示す状態から第２渦巻体２ｂが更に動き、第１バイパス通路ｂｙ１が第２渦巻体２ｂによって塞がれ且つ第２バイパス通路ｂｙ２が第１渦巻体１ｂによって塞がれた様子を示している。図１６は、図１５に示す状態から第２渦巻体２ｂが更に動いた様子を示している。図１５及び図１６に示す状態において、最外室９ｃ１の冷媒は最外室９ｃ１から最内室９ａへ流出しない。また、図１５及び図１６に示す状態において、最外室９ｃ２の冷媒も最外室９ｃ２から最内室９ａへ流出しない。図１６に示す状態において、最外室９ｃ１の冷媒は図１５に示す状態の最外室９ｃ１の冷媒の圧力よりも上昇し、また、最外室９ｃ２の冷媒は図１５に示す状態の最外室９ｃ２の冷媒の圧力よりも上昇している。
【００２８】
図１７は、スクロール圧縮機１００の低速運転時における回転数が上昇することの説明図である。図１７の縦軸は冷凍サイクル装置２００の負荷を示し、図１７の横軸は圧縮機の回転数を示している。冷凍サイクル装置２００が例えば空気調和装置である場合において、外気温度が高い程、冷凍サイクル装置２００が冷房運転をしているときの冷凍サイクル装置２００の負荷は高くなる。また、室内温度が設定温度に近い程、冷凍サイクル装置２００が運転しているときの冷凍サイクル装置２００の負荷は低くなる。スクロール圧縮機１００の第１渦巻体１ｂには第１バイパス通路ｂｙ１が形成され、スクロール圧縮機１００の第２渦巻体２ｂには第２バイパス通路ｂｙ２が形成されている。ここで、説明の便宜上、第１バイパス通路ｂｙ１及び第２バイパス通路ｂｙ２をバイパス通路ｂｙと総称することがある。
【００２９】
図１７に示すように、冷凍サイクル装置２００の負荷が高い程、バイパス通路ｂｙを有するスクロール圧縮機１００の回転数と、バイパス通路ｂｙが無いスクロール圧縮機の回転数との差は小さくなっていく。その理由を次に説明する。冷凍サイクル装置２００の負荷が高い場合には、その分、スクロール圧縮機１００の回転数が上昇する。スクロール圧縮機１００の回転数が上昇する程、最外室９ｃ１と吸入室９ｄとの連通時間、及び、最外室９ｃ２と吸入室９ｄとの連通時間が短くなる。したがって、スクロール圧縮機１００の回転数が上昇する程、最外室９ｃ１から吸入室９ｄへ流出する冷媒量及び最外室９ｃ２から吸入室９ｄへ流出する冷媒量は減少する。また、スクロール圧縮機１００の回転数が上昇する程、圧縮室９を流れる冷媒の流速が大きくなる。これにより、圧縮室９を流れる冷媒の流体抵抗が増大し、その結果、最外室９ｃ１から吸入室９ｄへ流出する冷媒量及び最外室９ｃ２から吸入室９ｄへ流出する冷媒量は減少する。
【００３０】
このように、スクロール圧縮機１００の回転数が上昇する程、上述した連通時間が短くなるとともに圧縮室９を流れる冷媒の流体抵抗が増大する。これにより、最外室９ｃ１から吸入室９ｄへ流出する冷媒量及び最外室９ｃ２から吸入室９ｄへ流出する冷媒量は減少する。したがって、冷凍サイクル装置２００の負荷が高い場合には、バイパス通路ｂｙを有するスクロール圧縮機１００の圧縮室９における冷媒の流れ特性と、バイパス通路ｂｙが無いスクロール圧縮機の圧縮室における冷媒の流れ特性とが同等になる。よって、冷凍サイクル装置２００の負荷が高い程、バイパス通路ｂｙを有するスクロール圧縮機１００の回転数と、バイパス通路ｂｙが無いスクロール圧縮機の回転数との差は小さくなっていく。
【００３１】
一方、図１７に示すように、冷凍サイクル装置２００の負荷が低い程、バイパス通路ｂｙを有するスクロール圧縮機１００の回転数と、バイパス通路ｂｙが無いスクロール圧縮機の回転数との差は大きくなる。冷凍サイクル装置２００の負荷が低い場合には、その分、スクロール圧縮機１００の回転数が低下する。スクロール圧縮機１００の回転数が低下する程、最外室９ｃ１と吸入室９ｄとの連通時間、及び、最外室９ｃ２と吸入室９ｄとの連通時間が長くなる。また、スクロール圧縮機１００の回転数が低いと冷媒の流体抵抗も抑えられる。したがって、スクロール圧縮機１００の回転数が低い場合には、最外室９ｃ１から吸入室９ｄへ流出する冷媒量及び最外室９ｃ２から吸入室９ｄへ流出する冷媒量が増加しやすい。引き続いて、冷凍サイクル装置２００の負荷が低い程、バイパス通路ｂｙを有するスクロール圧縮機１００の回転数が、バイパス通路ｂｙが無いスクロール圧縮機の回転数よりも、上昇することについて説明する。
【００３２】
制御装置Ｃｎｔは冷凍サイクル装置２００の負荷の情報を取得している。冷凍サイクル装置２００の負荷の情報は各種のセンサから取得することができる。このセンサには、例えば凝縮器５１の温度を取得するセンサを用いることができるし、また、例えば室内温度を取得するセンサを用いることもできる。そして、制御装置Ｃｎｔは取得した負荷の情報に基づいて、冷凍サイクル装置２００が発揮する必要がある能力の情報を取得する。制御装置Ｃｎｔは冷凍サイクル装置２００が発揮している能力が足りないと判断すると、制御装置Ｃｎｔはスクロール圧縮機１００の回転数を上昇させる。つまり、制御装置Ｃｎｔは、発揮している能力が必要としている能力に足りているか否かに基づいて、スクロール圧縮機１００の回転数を制御している。上述の通り、スクロール圧縮機１００の回転数が低い場合には、最外室９ｃ１から吸入室９ｄへ流出する冷媒量及び最外室９ｃ２から吸入室９ｄへ流出する冷媒量が増加しやすい。制御装置Ｃｎｔがスクロール圧縮機１００の回転数を維持すると、冷凍サイクル装置２００の冷媒の循環量が増大しにくくなり、冷凍サイクル装置２００の能力が不足する。そこで、制御装置Ｃｎｔは冷凍サイクル装置２００の能力が足りないと判断し、制御装置Ｃｎｔはスクロール圧縮機１００の回転数を上昇させる。したがって、冷凍サイクル装置２００の負荷が低い程、バイパス通路ｂｙを有するスクロール圧縮機１００の回転数が、バイパス通路ｂｙが無いスクロール圧縮機の回転数よりも、上昇する。
【００３３】
＜実施の形態１の効果＞
スクロール圧縮機１００の圧縮機構部３１はバイパス通路ｂｙを備えている。したがって、従来のスクロール圧縮機のようなピストン及びスプリングといった複雑な構成を備えなくても、スクロール圧縮機１００は運転容量を可変とする容量制御を実現することができる。
【００３４】
図１８は、軸受３ａ等の油膜厚さが増大することの説明図である。スクロール圧縮機１００の回転数が低い程、オイルポンプ１８が油溜まり１２からシャフト４の油通路４ｂへ引き上げる油の量が低下してしまう。その結果、軸受３ａ及び軸受１６ａの摩耗が進行し、スクロール圧縮機１００の信頼性が低下する可能性が高まる。図１７で説明したように、冷凍サイクル装置２００の負荷が小さい程、バイパス通路ｂｙを有するスクロール圧縮機１００の回転数が、バイパス通路ｂｙが無いスクロール圧縮機の回転数よりも、上昇する。つまり、冷凍サイクル装置２００の負荷が小さい場合であっても、スクロール圧縮機１００の回転数の低下は抑えられている。具体的には図１８に示すように、バイパス通路ｂｙを有するスクロール圧縮機１００の軸受３ａの油膜厚さはバイパス通路ｂｙが無いスクロール圧縮機１００のフレームの軸受の油膜厚さよりも大きい。また、バイパス通路ｂｙを有するスクロール圧縮機１００の軸受１６ａの油膜厚さはバイパス通路ｂｙが無いスクロール圧縮機１００のサブフレームの軸受の油膜厚さよりも大きい。このように、冷凍サイクル装置２００の負荷が小さい場合であっても、軸受３ａ及び軸受１６ａといった摺動部材の摩耗の進行は抑制される。これにより、スクロール圧縮機１００は信頼性の低下は抑制される。
【００３５】
近年、冷凍サイクル装置の圧縮機には、最大出力で運転する定格運転の性能だけでなく、最大出力未満の出力で運転する部分負荷運転の性能が求められている。部分負荷運転における圧縮機の回転数範囲は定格運転における圧縮機の回転数範囲よりも広い。つまり、圧縮機が部分負荷運転を行うと、圧縮機は下限回転数又は下限回転数に近い回転数で動作する状況になることがある。一般的に、圧縮機に要求される出力が圧縮機の下限回転数の出力を下回る状況になると、圧縮機は運転を停止する。そして、冷凍サイクル装置の負荷が増加して、圧縮機に要求される出力が圧縮機の下限回転数の出力を上回る状況になると、圧縮機は運転を再開する。つまり、冷凍サイクル装置の負荷が小さくて圧縮機に要求される出力が小さくなる状況においては、圧縮機の発停の頻度が増加し、その結果、冷凍サイクル装置の消費電力は増大してしまう。ここで、図１７で説明したように、冷凍サイクル装置２００の負荷が小さい程、バイパス通路ｂｙを有するスクロール圧縮機１００の回転数が、バイパス通路ｂｙが無いスクロール圧縮機の回転数よりも、上昇する。これにより、冷凍サイクル装置２００の負荷が小さくてスクロール圧縮機１００に要求される出力が小さくても、スクロール圧縮機１００は下限回転数を下回る運転に陥りにくい。したがって、スクロール圧縮機１００は発停の頻度の増加が抑制され、その結果、冷凍サイクル装置２００の消費電力の増大は抑制される。
【００３６】
図１９は、揺動スクロール２がフレーム３に対して傾いたときの様子を模式的に示す図である。スクロール圧縮機１００の回転数が上昇する程、スクロール圧縮機１００の冷媒の圧縮比が上昇する。ここで、冷媒の圧縮比が上昇する程、最内室９ａにおける圧力と、中間室９ｂ１及び中間室９ｂ２における圧力との差圧が上昇しやすくなる。また、冷媒の圧縮比が上昇する程、中間室９ｂ１及び中間室９ｂ２における圧力と、最外室９ｃ１及び最外室９ｃ２における圧力との差圧が上昇しやすくなる。一般的に、これらの差圧の上昇した状況において揺動スクロールはフレームに対して傾きやすくなる。これらの差圧の上昇に伴って、揺動スクロールを傾ける力が増大する場合があるためである。揺動スクロールがフレームに対して傾くと、固定スクロールの渦巻歯先の破損及び揺動スクロールの渦巻歯先の破損が発生したり、固定スクロールの渦巻歯先のシール材及び揺動スクロールの渦巻歯先のシール材の動作不良が発生したりする可能性がある。スクロール圧縮機１００の第２先端部２ｂ４は、第１台板１ｃに接触している第２接触面２ｂ５を備えている。つまり、第２切欠部２ｂ３は第２先端部２ｂ４までは延びておらず、第２先端部２ｂ４は第２接触面２ｂ５において第１台板１ｃと接触する。このため、フレーム３に対して傾くような力が揺動スクロール２に加わった場合においても、揺動スクロール２がフレーム３に対して傾いてしまうことは防止され、その結果、上述した巻歯先の破損及び渦巻歯先のシール材の動作不良の発生は未然に防止される。
【００３７】
第１外側壁部１ｂ２には第１バイパス通路ｂｙ１が形成され、且つ、第２外側壁部２ｂ２には第２バイパス通路ｂｙ２が形成されている。つまり、固定スクロール１にも揺動スクロール２にもバイパス通路が形成されている。これにより、最外室９ｃ１、中間室９ｂ１及び最内室９ａの順に流れる冷媒の流れ特性と、最外室９ｃ２、中間室９ｂ２及び最内室９ａの順に流れる冷媒の流れ特性とを同等にすることができる。したがって、最外室９ｃ１における圧力と最外室９ｃ２における圧力とが同等になり、且つ、中間室９ｂ１における圧力と中間室９ｂ２における圧力とが同等になる。よって、圧縮室９の圧力のアンバランスは抑制され、その結果、揺動スクロール２がフレーム３に対して傾いてしまうことは防止される。
【００３８】
固定スクロール１の第１先端部１ｂ４は、第２台板２ｃに接触している第１接触面１ｂ５を備えている。つまり、固定スクロール１は、揺動スクロール２の第２接触面２ｂ５と同様の構成を備えている。これにより、最外室９ｃ１、中間室９ｂ１及び最内室９ａの順に流れる冷媒の流れ特性と、最外室９ｃ２、中間室９ｂ２及び最内室９ａの順に流れる冷媒の流れ特性とがより同等になる。したがって、圧縮室９の圧力のアンバランスはより抑制され、その結果、揺動スクロール２がフレーム３に対して傾いてしまうことはより確実に防止される。
【００３９】
なお、第１外側壁部１ｂ２及び第２外側壁部２ｂ２の両方にバイパス通路が形成された形態を説明した。つまり、実施の形態１では、第１外側壁部１ｂ２には第１バイパス通路ｂｙ１が形成され、且つ、第２外側壁部２ｂ２には第２バイパス通路ｂｙ２が形成された形態を説明した。しかし、この形態に限定されるものではない。第１外側壁部１ｂ２及び第２外側壁部２ｂ２のうちの少なくとも一方にバイパス通路が形成された形態であってもよい。
【００４０】
実施の形態２．
実施の形態２では、実施の形態１と共通する部分は同一の符号を付して説明を省略し、実施の形態１との相違点を中心に説明する。
【００４１】
＜実施の形態２の構成＞
図２０は、実施の形態２に係るスクロール圧縮機の固定スクロール１の第１渦巻体１ｂの説明図である。図２１は、実施の形態２に係るスクロール圧縮機の揺動スクロール２の第２渦巻体２ｂの説明図である。図２２は、揺動スクロール２の回転軸Ｒと第１接触面２１ｂ５との間の距離ｄｓｔ２等の説明図である。図２２は、図１１に示す断面と同様の断面を示している。第１外側壁部１ｂ２は、第２台板２ｃとの間に第１バイパス通路ｂｙ１を形成する第１段部２１ｂ３を備えている。第１段部２１ｂ３は、第１溝部ｇｒ１の第１外側端Ｐ１側の端部ｇｒ１ａから第１外側端Ｐ１まで延びている。第１段部２１ｂ３は、第２台板２ｃから離間している第１離間面２１ｂ４と、第２台板２ｃに接触しており、揺動スクロール２の回転軸Ｒまでの距離ｄｓｔ２が揺動スクロール２の回転軸Ｒから第１離間面２１ｂ４までの距離ｄｓｔ１よりも長い第１接触面２１ｂ５とを備えている。また、第１段部２１ｂ３は、第１離間面２１ｂ４と第１接触面２１ｂ５とを繋ぐ第１段差面２１ｂ６とを備えている。
【００４２】
第２外側壁部２ｂ２は、第１台板１ｃとの間に第２バイパス通路ｂｙ２を形成する第２段部２２ｂ３を備えている。第２段部２２ｂ３は、第２溝部ｇｒ２の第２外側端Ｔ１側の端部ｇｒ２ａから第２外側端Ｔ１まで延びている。第２段部２２ｂ３は、第１台板１ｃから離間している第２離間面２２ｂ４と、第１台板１ｃに接触しており、揺動スクロール２の回転軸Ｒまでの距離ＤＳＴ２が揺動スクロール２の回転軸Ｒから第２離間面２２ｂ４までの距離ＤＳＴ１よりも長い第２接触面２２ｂ５とを備えている。また、第２段部２２ｂ３は第２離間面２２ｂ４と第２接触面２２ｂ５とを繋ぐ第２段差面２２ｂ６とを備えている。
【００４３】
＜実施の形態２の効果＞
実施の形態２に係るスクロール圧縮機は実施の形態１に係るスクロール圧縮機と同様の効果を有する。
【００４４】
実施の形態３．
本実施の形態３では、実施の形態１、２と共通する部分は同一の符号を付して説明を省略し、実施の形態１、２との相違点を中心に説明する。
【００４５】
＜実施の形態３の構成＞
図２３は実施の形態３に係るスクロール圧縮機の固定スクロールの第１渦巻体１ｂの説明図である。図２４は、実施の形態３に係るスクロール圧縮機の揺動スクロールの第２渦巻体２ｂの説明図である。図２５は、実施の形態３に係るスクロール圧縮機の第１渦巻体１ｂ及び第２渦巻体２ｂの断面図である。図２５は、図１１に示す断面と同様の断面を示している。第１外側壁部１ｂ２には、第１バイパス通路ｂｙ１である複数の第１貫通孔３１ｂ３と、第２台板２ｃに接触している第１接触面３１ｂ５を含む第１先端部１ｂ４とを備えている。実施の形態３において、第１貫通孔３１ｂ３は３つ設けられている。複数の第１貫通孔３１ｂ３は、第１外側端Ｐ１側に位置するもの程、径が大きい。
【００４６】
第２外側壁部２ｂ２には、第２バイパス通路ｂｙ２である第２貫通孔３２ｂ３と、第１台板１ｃに接触している第２接触面３２ｂ５を含む第２先端部２ｂ４とを備えている。実施の形態３において、第２貫通孔３２ｂ３は３つ設けられている。複数の第２貫通孔３２ｂ３は、第２外側端Ｔ１側に位置するもの程、径が大きい。
【００４７】
＜実施の形態３の効果＞
実施の形態３に係るスクロール圧縮機は実施の形態１に係るスクロール圧縮機の有する効果に加えて次の効果を有する。実施の形態３において、第２バイパス通路ｂｙ２は第２貫通孔３２ｂ３である。つまり、第１接触面３１ｂ５は端部ｇｒ２ａから第２外側端Ｔ１へ延びるように形成されている。したがって、第２外側壁部２ｂ２と第１台板１ｃとの接触面積より確実に確保することができ、揺動スクロール２がフレーム３に対して傾いてしまうことはより確実に防止される。
【００４８】
複数の第１貫通孔３１ｂ３は、第１外側端Ｐ１側に位置するもの程、径が大きい。また、複数の第２貫通孔３２ｂ３は、第２外側端Ｔ１側に位置するもの程、径が大きい。このように、各第１貫通孔３１ｂ３及び各第２貫通孔３２ｂ３の大きさを調整することで、実施の形態３に係るスクロール圧縮機はより精密な容量制御を実施することができる。
【００４９】
実施の形態４．
本実施の形態４では、実施の形態１〜３と共通する部分は同一の符号を付して説明を省略し、実施の形態１〜３との相違点を中心に説明する。
【００５０】
＜実施の形態４の構成＞
図２６は、実施の形態４に係るスクロール圧縮機の固定スクロールの第１渦巻体１ｂの説明図である。第１外側壁部１ｂ２は、第２台板２ｃとの間に第１バイパス通路ｂｙ１を形成している第１階段状部４１ｂ３を備えている。第１階段状部４１ｂ３は、第１溝部ｇｒ１の第１外側端Ｐ１側の端部ｇｒ１ａから第１外側端Ｐ１まで延びている。第１階段状部４１ｂ３は、第２台板２ｃから第１距離Ｄｐ１をあけて離間している第１離間面４１ｂ５と、第２台板２ｃから第１距離Ｄｐ１よりも大きい第２距離Ｄｐ２をあけて離間しており、第１離間面４１ｂ５よりも第１外側端Ｐ１側に設けられている第２離間面４１ｂ４とを備えている。また、第１階段状部４１ｂ３は、第１離間面４１ｂ５と第２離間面４１ｂ４とを繋ぐ第１段差面４１ｂ７を備えている。実施の形態４において、第１先端部４１ｂ６は第２台板２ｃに接触していない。
【００５１】
第２外側壁部２ｂ２は、第１外側壁部１ｂ２の第１階段状部４１ｂ３のような構成は備えていない。その理由は、第２外側壁部２ｂ２は揺動スクロール２が備える構成であるので、第２外側壁部２ｂ２が第１階段状部４１ｂ３のような構成を備えていると、揺動スクロール２がフレーム３に対して傾いてしまう可能性が高まるためである。実施の形態４において、第２外側壁部２ｂ２には、実施の形態１で説明した第２切欠部２ｃ３、実施の形態２で説明した第２段部２２ｂ３、又は、実施の形態３で説明した第２貫通孔３２ｂ３を形成することができる。
【００５２】
＜実施の形態４の効果＞
実施の形態４に係るスクロール圧縮機は実施の形態１に係るスクロール圧縮機と同様の効果を有する。
【００５３】
第１離間面４１ｂ５は、第２台板２ｃから第１距離Ｄｐ１をあけて離間しており、第２離間面４１ｂ４は第２台板２ｃから第１距離Ｄｐ１よりも大きい第２距離Ｄｐ２をあけて離間している。第１距離Ｄｐ１及び第２距離Ｄｐ２を調整することで、実施の形態４に係るスクロール圧縮機はより精密な容量制御を実施することができる。
【符号の説明】
【００５４】
１  固定スクロール、１Ｂ  筒状部、１Ｂ１  端面、１ａ  吐出ポート、１ｂ  第１渦巻体、１ｂ１  第１内側壁部、１ｂ２  第１外側壁部、１ｂ３  第１切欠部、１ｂ４  第１先端部、１ｂ５  第１接触面、１ｂｂ  最外壁面、１ｃ  第１台板、１ｃ１  面、２  揺動スクロール、２ｂ  第２渦巻体、２ｂ１  第２内側壁部、２ｂ２  第２外側壁部、２ｂ３  第２切欠部、２ｂ４  第２先端部、２ｂ５  第２接触面、２ｂｂ  最外壁面、２ｃ  第２台板、２ｃ１  面、２ｃ２  面、２ｃ３  第２切欠部、２ｄ  ボス部、３  フレーム、３ａ  軸受、４  シャフト、４ａ  偏心ピン部、４ｂ  油通路、５  吸入管、６  ロータ、７  ステータ、８  シェル、９  圧縮室、９ａ  最内室、９ｂ１  中間室、９ｂ２  中間室、９ｃ１  最外室、９ｃ２  最外室、９ｄ  吸入室、１０  弁押さえ、１１  弁、１２  油溜まり、１３  吐出管、１４  空間、１５ａ  第１シール材、１５ｂ  第２シール材、１６  サブフレーム、１６ａ  軸受、１７  オルダムリング、１８  オイルポンプ、１９  チャンバ、２１ｂ３  第１段部、２１ｂ４  第１離間面、２１ｂ５  第１接触面、２１ｂ６  第１段差面、２２ｂ３  第２段部、２２ｂ４  第２離間面、２２ｂ５  第２接触面、２２ｂ６  第２段差面、３１  圧縮機構部、３１ｂ３  第１貫通孔、３１ｂ５  第１接触面、３２  駆動機構部、３２ｂ３  第２貫通孔、３２ｂ５  第２接触面、４１ｂ３  第１階段状部、４１ｂ４  第２離間面、４１ｂ５  第１離間面、４１ｂ６  第１先端部、４１ｂ７  第１段差面、５１  凝縮器、５２  膨張弁、５３  蒸発器、１００  スクロール圧縮機、２００  冷凍サイクル装置、Ｃｎｔ  制御装置、Ｄｐ１  第１距離、Ｄｐ２  第２距離、Ｐ１  第１外側端、Ｐ２  第１内側端、Ｒ  回転軸、Ｓｒ１  隙間、Ｓｒ２  隙間、Ｔ１  第２外側端、Ｔ２  第２内側端、ｂｙ  バイパス通路、ｂｙ１  第１バイパス通路、ｂｙ２  第２バイパス通路、ｇｒ１  第１溝部、ｇｒ１ａ  端部、ｇｒ２  第２溝部、ｇｒ２ａ  端部、ｐｔ１  通路、ｐｔ２  通路。
【図１】
2019026244.tif 000003
【図２】
2019026244.tif 000004
【図３】
2019026244.tif 000005
【図４】
2019026244.tif 000006
【図５】
2019026244.tif 000007
【図６】
2019026244.tif 000008
【図７】
2019026244.tif 000009
【図８】
2019026244.tif 000010
【図９】
2019026244.tif 000011
【図１０】
2019026244.tif 000012
【図１１】
2019026244.tif 000013
【図１２】
2019026244.tif 000014
【図１３】
2019026244.tif 000015
【図１４】
2019026244.tif 000016
【図１５】
2019026244.tif 000017
【図１６】
2019026244.tif 000018
【図１７】
2019026244.tif 000019
【図１８】
2019026244.tif 000020
【図１９】
2019026244.tif 000021
【図２０】
2019026244.tif 000022
【図２１】
2019026244.tif 000023
【図２２】
2019026244.tif 000024
【図２３】
2019026244.tif 000025
【図２４】
2019026244.tif 000026
【図２５】
2019026244.tif 000027
【図２６】
2019026244.tif 000028
【手続補正書】
【提出日】令和1年10月9日(2019.10.9)
【手続補正１】
【補正対象書類名】明細書
【補正対象項目名】０００７
【補正方法】変更
【補正の内容】
【０００７】
本発明に係るスクロール圧縮機は、板状の第１台板と前記第１台板に設けられ、第１外側端から第１内側端へかけて渦巻状に延びる第１渦巻体とを含む固定スクロールと、前記第１台板に間隔をあけて設けられている板状の第２台板と、前記第２台板に設けられ、第２外側端から第２内側端へかけて渦巻状に延び、前記第１渦巻体に組み合わせられている第２渦巻体とを含む揺動スクロールと、を備え、前記第１台板と前記第２台板との間には、冷媒が圧縮される圧縮室と、前記圧縮室よりも冷媒の流れ方向の上流側に設けられている吸入室と、が設けられ、前記圧縮室は、前記第１渦巻体と前記第２渦巻体との間に設けられ、前記第１渦巻体は、前記第１内側端側に設けられている第１内側壁部と、前記第１外側端側に設けられ、前記圧縮室と前記吸入室とを区画している第１外側壁部とを含み、前記第２渦巻体は、前記第２内側端側に設けられている第２内側壁部と、前記第２外側端側に設けられ、前記圧縮室と前記吸入室とを区画している第２外側壁部とを含み、前記第１外側壁部及び前記第２外側壁部のうちの少なくとも一方には、前記圧縮室と前記吸入室とを連通させ、前記圧縮室内の冷媒の一部を前記吸入室へ戻すバイパス通路が形成され、前記バイパス通路は、前記第１外側端側又は前記第２外側端側に至る程、貫通空間の大きさが大きいものである。
【手続補正２】
【補正対象書類名】特許請求の範囲
【補正対象項目名】全文
【補正方法】変更
【補正の内容】
【特許請求の範囲】
【請求項１】
板状の第１台板と前記第１台板に設けられ、第１外側端から第１内側端へかけて渦巻状に延びる第１渦巻体とを含む固定スクロールと、
前記第１台板に間隔をあけて設けられている板状の第２台板と、前記第２台板に設けられ、第２外側端から第２内側端へかけて渦巻状に延び、前記第１渦巻体に組み合わせられている第２渦巻体とを含む揺動スクロールと、
を備え、
前記第１台板と前記第２台板との間には、冷媒が圧縮される圧縮室と、前記圧縮室よりも冷媒の流れ方向の上流側に設けられている吸入室と、が設けられ、
前記圧縮室は、前記第１渦巻体と前記第２渦巻体との間に設けられ、
前記第１渦巻体は、前記第１内側端側に設けられている第１内側壁部と、前記第１外側端側に設けられ、前記圧縮室と前記吸入室とを区画している第１外側壁部とを含み、
前記第２渦巻体は、前記第２内側端側に設けられている第２内側壁部と、前記第２外側端側に設けられ、前記圧縮室と前記吸入室とを区画している第２外側壁部とを含み、
前記第１外側壁部及び前記第２外側壁部のうちの少なくとも一方には、前記圧縮室と前記吸入室とを連通させ、前記圧縮室内の冷媒の一部を前記吸入室へ戻すバイパス通路が形成され、
前記バイパス通路は、前記第１外側端側又は前記第２外側端側に至る程、貫通空間の大きさが大きい
スクロール圧縮機。
【請求項２】
前記バイパス通路は、前記第１外側壁部に形成されている第１バイパス通路と、前記第２外側壁部に形成されている第２バイパス通路とを含み、
前記第１外側壁部は、前記第２台板との間に前記第１バイパス通路を形成している第１切欠部と、前記第１外側端に設けられている第１先端部とを含み、
前記第１先端部は、前記第２台板に接触している第１接触面を含み、
前記第２外側壁部は、前記第１台板との間に前記第２バイパス通路を形成している第２切欠部と、前記第２外側端に設けられている第２先端部とを含み、
前記第２先端部は、前記第１台板に接触している第２接触面を含む
請求項１に記載のスクロール圧縮機。
【請求項３】
前記バイパス通路は、前記第２外側壁部に形成されている第２バイパス通路を含み、
前記第２外側壁部は、前記第１台板との間に前記第２バイパス通路を形成している第２切欠部と、前記第２外側端に設けられている第２先端部とを含み、
前記第２先端部は、前記第１台板に接触している第２接触面を含む
請求項１に記載のスクロール圧縮機。
【請求項４】
前記バイパス通路は、前記第１外側壁部に形成されている第１バイパス通路と、前記第２外側壁部に形成されている第２バイパス通路とを含み、
前記第１外側壁部には、前記第１バイパス通路である第１貫通孔と、前記第２台板に接触している第１接触面を含む第１先端部とを含み、
前記第２外側壁部には、前記第２バイパス通路である第２貫通孔と、前記第１台板に接触している第２接触面を含む第２先端部とを含む
請求項１に記載のスクロール圧縮機。
【請求項５】
前記バイパス通路は、前記第２外側壁部に形成されている第２バイパス通路を含み、
前記第２外側壁部には、前記第２バイパス通路である第２貫通孔と、前記第１台板に接触している第２接触面を含む第２先端部とを含む
請求項１に記載のスクロール圧縮機。
【請求項６】
前記バイパス通路は、前記第１外側壁部に形成されている第１バイパス通路と、前記第２外側壁部に形成されている第２バイパス通路とを含み、
前記第１渦巻体は、前記第１外側端側から前記第１内側端側へ延び、第１シール材が挿入されている渦巻状の第１溝部を含み、
前記第１外側壁部は、前記第２台板との間に前記第１バイパス通路を形成し、前記第１溝部の前記第１外側端側の端部から前記第１外側端まで延びている第１段部を含み、
前記第１段部は、前記第２台板から離間している第１離間面と、前記第２台板に接触しており、前記揺動スクロールの回転軸までの距離が前記揺動スクロールの前記回転軸から前記第１離間面までの距離よりも長い第１接触面とを含み、
前記第２渦巻体は、前記第２外側端側から前記第２内側端側へ延び、第２シール材が挿入されている渦巻状の第２溝部を含み、
前記第２外側壁部は、前記第１台板との間に前記第２バイパス通路を形成し、前記第２溝部の前記第２外側端側の端部から前記第２外側端まで延びている第２段部を含み、
前記第２段部は、前記第１台板から離間している第２離間面と、前記第１台板に接触しており、前記揺動スクロールの前記回転軸までの距離が前記揺動スクロールの前記回転軸から前記第２離間面までの距離よりも長い第２接触面とを含む
請求項１に記載のスクロール圧縮機。
【請求項７】
前記バイパス通路は、前記第２外側壁部に形成されている第２バイパス通路を含み、
前記第２渦巻体は、前記第２外側端側から前記第２内側端側へ延び、第２シール材が挿入されている渦巻状の第２溝部を含み、
前記第２外側壁部は、前記第１台板との間に前記第２バイパス通路を形成し、前記第２溝部の前記第２外側端側の端部から前記第２外側端まで延びている第２段部を含み、
前記第２段部は、前記第１台板から離間している第２離間面と、前記第１台板に接触しており、前記揺動スクロールの回転軸までの距離が前記揺動スクロールの前記回転軸から前記第２離間面までの距離よりも長い第２接触面とを含む
請求項１に記載のスクロール圧縮機。
【請求項８】
前記バイパス通路は、前記第１外側壁部に形成され、
前記第１渦巻体は、前記第１外側端側から前記第１内側端側へ延び、第１シール材が挿入されている渦巻状の第１溝部を含み、
前記第１外側壁部は、前記第２台板との間に前記バイパス通路を形成し、前記第１溝部の前記第１外側端側の端部から前記第１外側端まで延びている第１階段状部を含み、
前記第１階段状部は、前記第２台板から第１距離をあけて離間している第１離間面と、前記第２台板から前記第１距離よりも大きい第２距離をあけて離間しており、前記第１離間面よりも前記第１外側端側に設けられている第２離間面とを含む
請求項１に記載のスクロール圧縮機。
【国際調査報告】
2019026244.tif 000029
2019026244.tif 000030
2019026244.tif 000031
2019026244.tif 000032